(57)【特許請求の範囲】
【請求項１】
電力を受けて温風を発生させる本体と、
前記本体に電力を供給する電源コードと、
前記本体が発生させた温風を吹き出す吹出口と、
吹出口接続開口部と拡散開口部とを有し、前記電源コードおよび前記吹出口の少なくとも一方が前記本体に収納される際は、前記電源コードおよび前記吹出口の少なくとも一方を覆った状態で前記本体に固定され、ふとんの乾燥運転が行われる際は、前記吹出口接続開口部が前記吹出口に接続される収納カバーと、
を備え、
前記吹出口接続開口部と前記拡散開口部とは、前記収納カバーの側面に形成され、前記収納カバーが前記本体に固定された際に前記本体に閉塞されるふとん乾燥機。
【請求項２】
ふとんの乾燥運転が行われる際において前記収納カバーの上側となる水平面の裏側に対して水平姿勢と垂直姿勢とをとり得るようにふとんの乾燥運転が行われる際において前記収納カバーの上側となる水平面の裏側に設けられ、ふとんの乾燥運転が行われる際において前記収納カバーの上側となる水平面の裏側に対して垂直姿勢となった際における前記収納カバーの高さ方向の長さが前記収納カバーの高さに合わせて設定されたダンパー、
を備えた請求項１に記載のふとん乾燥機。
【請求項３】
ふとんの乾燥運転が行われる際において前記収納カバーの上側となる水平面の裏側に設けられ、ふとんの乾燥運転が行われる際において前記収納カバーの上側となる水平面の裏側から突き出し、前記吹出口接続開口部の側から前記拡散開口部の側に向かって徐々に拡がる突起を備えた請求項１に記載のふとん乾燥機。
【発明の詳細な説明】
【技術分野】
【０００１】
この発明は、ふとん乾燥機に関する。
【背景技術】
【０００２】
特許文献１は、ふとん乾燥機を開示する。当該ふとん乾燥機による乾燥運転が行われた後、ホースと電源コードと乾燥マットとは、本体に収納される。ホースと電源コードと乾燥マットとは、収納カバーに覆われる。
【先行技術文献】
【特許文献】
【０００３】
【特許文献１】実開平４−６４３９５号公報
【発明の概要】
【発明が解決しようとする課題】
【０００４】
しかしながら、特許文献１に記載のふとん乾燥機の本体においては、乾燥マットを収納する空間が必要となる。このため、ふとん乾燥機が大きくなる。
【０００５】
この発明は、上述の課題を解決するためになされた。この発明の目的は、小さくすることができるふとん乾燥機を提供することである。
【課題を解決するための手段】
【０００６】
この発明に係るふとん乾燥機は、電力を受けて温風を発生させる本体と、前記本体に電力を供給する電源コードと、前記本体が発生させた温風を吹き出す吹出口と、吹出口接続開口部と拡散開口部とを有し、前記電源コードおよび前記吹出口の少なくとも一方が前記本体に収納される際は、前記電源コードおよび前記吹出口の少なくとも一方を覆った状態で前記本体に固定され、ふとんの乾燥運転が行われる際は、前記吹出口接続開口部が前記吹出口に接続される収納カバーと、を備え、前記吹出口接続開口部と前記拡散開口部とは、前記収納カバーの側面に形成され、前記収納カバーが前記本体に固定された際に前記本体に閉塞される。
【発明の効果】
【０００７】
これらの発明によれば、収納カバーは、乾燥マットの代用として使用される。このため、乾燥マットが不要となる。さらに、乾燥マットの収納も不要となる。その結果、ふとん乾燥機を小さくすることができる。
【図面の簡単な説明】
【０００８】
【図１】この発明の実施の形態１におけるふとん乾燥機を前方側から見た際の斜視図である。
【図２】この発明の実施の形態１におけるふとん乾燥機を後方側から見た際の斜視図である。
【図３】この発明の実施の形態１におけるふとん乾燥機を後方側から見た際の分解斜視図である。
【図４】この発明の実施の形態１におけるふとん乾燥機の収納カバーの内側を見た際の斜視図である。
【図５】この発明の実施の形態１におけるふとん乾燥機の使用状態を示す斜視図である。
【図６】この発明の実施の形態１におけるふとん乾燥機の使用状態を示す縦断面図である。
【図７】この発明の実施の形態２におけるふとん乾燥機の収納カバーの内側を見た際の斜視図である。
【図８】この発明の実施の形態２におけるふとん乾燥機の使用状態を示す斜視図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１におけるふとん乾燥機を前方側から見た際の斜視図である。図２はこの発明の実施の形態１におけるふとん乾燥機を後方側から見た際の斜視図である。図３はこの発明の実施の形態１におけるふとん乾燥機を後方側から見た際の分解斜視図である。図４はこの発明の実施の形態１におけるふとん乾燥機の収納カバーの内側を見た際の斜視図である。
【００１１】
図１から図４に示すように、ふとん乾燥機は、本体１と吸気口２とホース３と吹出口４と電源コード５と収納カバー６とダンパー７とを備える。
【００１２】
例えば、本体１は、正面から見た際に正方形状となるように形成される。本体１は、タイマー８と図示しない送風路と図示しない送風機と図示しないヒーターと図示しないセンサーとを備える。例えば、タイマー８は、本体１の表面の中央部に設けられる。送風路は、本体１の内部に設けられる。送風機は、本体１の内部において送風路に設けられる。ヒーターは、本体１の内部における送風路において送風機の下流側に設けられる。センサーは、本体１の内部における送風路においてヒーターの下流側に設けられる。
【００１３】
例えば、吸気口２は、本体１の裏面の一側に形成される。吸気口２は、送風路の上流側とつながる。例えば、ホース３は、本体１の裏面の他側に設けられる。ホース３は、伸縮自在に設けられる。ホース３の上流側は、送風路の下流側とつながる。吹出口４は、ホース３の下流側に接続される。例えば、電源コード５は、本体１の裏面の一側において吸気口２の下側に接続される。電源コード５は、本体１の送風機とヒーターとに電力を供給し得るように設けられる。
【００１４】
収納カバー６は、本体１の形状に合わせて形成される。例えば、収納カバー６は、箱状に形成される。収納カバー６は、本体１に対して着脱自在に設けられる。収納カバー６は、吹出口接続開口部６ａと第１拡散開口部６ｂと第２拡散開口部６ｃと第３拡散開口部６ｄと第４拡散開口部６ｅと第５拡散開口部６ｆとを備える。
【００１５】
吹出口接続開口部６ａは、収納カバー６の短側面の一方において幅方向の中央部に形成される。吹出口接続開口部６ａは、吹出口４の形状に合わせて形成される。例えば、吹出口接続開口部６ａは、収納カバー６の短側面の一方における縁部の切り欠きにより形成される。第１拡散開口部６ｂは、収納カバー６の短側面の他方に形成される。例えば、第１拡散開口部６ｂは、収納カバー６の短側面の他方において全体的に形成される。
【００１６】
第２拡散開口部６ｃと第３拡散開口部６ｄとは、収納カバー６の長側面の一方に形成される。例えば、第２拡散開口部６ｃと第３拡散開口部６ｄとは、収納カバー６の長側面の一方の縁部に沿って並んで形成される。第４拡散開口部６ｅと第５拡散開口部６ｆとは、収納カバー６の長側面の他方に形成される。例えば、第４拡散開口部６ｅと第５拡散開口部６ｆとは、収納カバー６の長側面の他方の縁部に沿って並んで形成される。
【００１７】
ダンパー７は、収納カバー６の裏面に設けられる。例えば、ダンパー７は、三角柱状に形成される。例えば、ダンパー７は、可倒式である。具体的には、ダンパー７は、一側を軸にして回転し得るように設けられる。ダンパー７は、収納カバー６の裏面に対して水平姿勢と垂直姿勢とをとり得るように設けられる。ダンパー７において、収納カバー６の裏面に対して垂直姿勢となった際における収納カバー６の奥行き方向の長さは、収納カバー６の奥行きに合わせて設定される。
【００１８】
次に、図５と図６とを用いて、敷きふとん９と掛けふとん１０との乾燥運転を行う際の手順を説明する。
図５はこの発明の実施の形態１におけるふとん乾燥機の使用状態を示す斜視図である。図６はこの発明の実施の形態１におけるふとん乾燥機の使用状態を示す縦断面図である。
【００１９】
まず、収納カバー６が本体１から外される。その後、ダンパー７が倒される。その後、収納カバー６が裏面側を下側にした状態で敷きふとん９の上面に置かれる。この際、ダンパー７は、敷きふとん９に対して垂直姿勢となる。その後、吹出口４が収納カバー６の吹出口接続開口部６ａに接続される。その後、掛けふとん１０が収納カバー６の上方から掛けられる。
【００２０】
その後、タイマー８が回される。その結果、本体１の内部において、送風機とヒーターとが電源コード５からの電力を受けて動作する。具体的には、送風機が吸引風を発生させる。その結果、外部の空気が吸気口２に吸引される。当該空気は、送風路を通過する。当該空気は、送風機を通過する。当該空気は、ヒーターで加熱される。その結果、当該空気は、温風となる。この際、センサーは、当該温風の温度を検知する。当該温風は、ホース３を通過する。当該温風は、吹出口４から吹き出される。
【００２１】
当該温風は、収納カバー６の内部を進む。当該温風は、ダンパー７により拡散される。当該温風は、第１拡散開口部６ｂと第２拡散開口部６ｃと第３拡散開口部６ｄと第４拡散開口部６ｅと第５拡散開口部６ｆとから収納カバー６の外部へ拡散する。当該温風は、敷きふとん９の全面と掛けふとん１０の全面とに吹きつけられる。その結果、敷きふとん９と掛けふとん１０とが効率的に乾燥する。
【００２２】
敷きふとん９と掛けふとん１０との乾燥運転が終了すると、ホース３と吹出口４と電源コード５とが本体１に収納される。その後、収納カバー６がホース３と吹出口４と電源コード５とを覆った状態で本体１に嵌め合わされる。その結果、収納カバー６は、本体１に固定される。この際、吹出口接続開口部６ａと第１拡散開口部６ｂと第２拡散開口部６ｃと第３拡散開口部６ｄと第４拡散開口部６ｅと第５拡散開口部６ｆとは、本体１に閉塞される。
【００２３】
以上で説明した実施の形態１によれば、収納カバー６は、乾燥マットの代用として使用される。このため、乾燥マットが不要となる。さらに、乾燥マットの収納も不要となる。その結果、ふとん乾燥機を小さくすることができる。さらに、ふとん乾燥機を安価に製作することができる。
【００２４】
また、収納カバー６がホース３と吹出口４と電源コード５とを覆った状態で本体１に固定される。この際、吹出口接続開口部６ａと第１拡散開口部６ｂと第２拡散開口部６ｃと第３拡散開口部６ｄと第４拡散開口部６ｅと第５拡散開口部６ｆとは、本体１に閉塞される。このため、ふとん乾燥機が使用されずに放置される際に埃が本体１の内部に進入することを防止できる。
【００２５】
また、敷きふとん９と掛けふとん１０との乾燥運転が行われる際、ダンパー７は、敷きふとん９に対して垂直姿勢となる。この際、ダンパー７の先端部は、収納カバー６の縁部とともに敷きふとん９に接触する。この状態においては、掛けふとん１０は、収納カバー６とダンパー７とで支持される。このため、収納カバー６が掛けふとん１０の重さで押し潰されることはない。その結果、収納カバー６の変形と破損とを防止することができる。
【００２６】
実施の形態２．
図７はこの発明の実施の形態２におけるふとん乾燥機の収納カバーの内側を見た際の斜視図である。なお、実施の形態１の部分と同一又は相当部分には同一符号が付される。当該部分の説明は省略される。
【００２７】
実施の形態１におけるふとん乾燥機は、ダンパー７を備える。これに対し、実施の形態２におけるふとん乾燥機は、突起１１を備える。突起１１は、収納カバー６の裏面に設けられる。突起１１は、収納カバー６の裏面から突き出す。突起１１は、吹出口接続開口部６ａの側から第１拡散開口部６ｂの側に向かって徐々に拡がって大きくなるＶ字状の断面を有する。
なお、本発明の実施の形態２では、吹出口接続開口部６ａの側から第１拡散開口部６ｂの側に向かって徐々に拡がって大きくなるＶ字状の断面を有する三角形状の突起１１を一例として説明したが、この形状に限定されるものではなく、吹出口接続開口部６ａの側から第１拡散開口部６ｂの側に向かって、風（温風）の流れを拡散させることができる収納カバー６の裏面から突出した形状であればよい。
【００２８】
次に、図８を用いて、敷きふとん９と掛けふとん１０との乾燥運転を行う際の手順を説明する。
図８はこの発明の実施の形態２におけるふとん乾燥機の使用状態を示す斜視図である。
【００２９】
まず、収納カバー６が本体１から外される。その後、収納カバー６が裏面側を下側にした状態で敷きふとん９の上面に置かれる。その後、吹出口４が収納カバー６の吹出口接続開口部６ａに接続される。その後、掛けふとん１０が収納カバー６の上方から掛けられる。
【００３０】
その後、タイマー８が回される。その結果、本体１の内部において、送風機とヒーターとが電源コード５からの電力を受けて動作する。具体的には、送風機が吸引風を発生させる。その結果、外部の空気が吸気口２に吸引される。当該空気は、送風路を通過する。当該空気は、送風機を通過する。当該空気は、ヒーターで加熱される。その結果、当該空気は、温風となる。この際、センサーは、当該温風の温度を検知する。当該温風は、ホース３を通過する。当該温風は、吹出口４から吹き出される。
【００３１】
当該温風は、収納カバー６の内部を進む。当該温風は、突起１１により円滑に拡散される。当該温風は、第１拡散開口部６ｂと第２拡散開口部６ｃと第３拡散開口部６ｄと第４拡散開口部６ｅと第５拡散開口部６ｆとから収納カバー６の外部へ拡散する。当該温風は、敷きふとん９の全面と掛けふとん１０の全面とに吹きつけられる。その結果、敷きふとん９と掛けふとん１０とが効率的に乾燥する。
【００３２】
敷きふとん９と掛けふとん１０との乾燥運転が終了すると、ホース３と吹出口４と電源コード５とが本体１に収納される。その後、収納カバー６がホース３と吹出口４と電源コード５とを覆った状態で本体１に嵌め合わされる。その結果、収納カバー６は、本体１に固定される。この際、吹出口接続開口部６ａと第１拡散開口部６ｂと第２拡散開口部６ｃと第３拡散開口部６ｄと第４拡散開口部６ｅと第５拡散開口部６ｆとは、本体１に閉塞される。
【００３３】
以上で説明した実施の形態２によれば、実施の形態１と同様にふとん乾燥機を小さくすることができる。さらに、ダンパー７も不要となる。このため、ふとん乾燥機をさらに安価に製作することができる。
【００３４】
また、収納カバー６において、掛けふとん１０の荷重が加わる面の強度は、突起１１により向上している。このため、収納カバー６が掛けふとんの重さで押し潰されることはない。その結果、収納カバー６の変形と破損とを防止することができる。
【００３５】
なお、実施の形態１および実施の形態２において、ホース３と吹出口４と電源コード５とのうちでいずれか２つを本体１に収納してもよい。この場合、本体１の収納空間をさらに小さくすることができる。その結果、ふとん乾燥機をさらに小さくすることができる。
【００３６】
また、実施の形態１および実施の形態２において、ホース３と吹出口４と電源コード５とのうちでいずれか１つを本体１に収納してもよい。この場合、本体１の収納空間をさらに小さくすることができる。その結果、ふとん乾燥機をさらに小さくすることができる。
【符号の説明】
【００３７】
１  本体、  ２  吸気口、  ３  ホース、  ４  吹出口、  ５  電源コード、  ６  収納カバー、  ６ａ  吹出口接続開口部、  ６ｂ  第１拡散開口部、  ６ｃ  第２拡散開口部、  ６ｄ  第３拡散開口部、  ６ｅ  第４拡散開口部、  ６ｆ  第５拡散開口部、  ７  ダンパー、  ８  タイマー、  ９  敷きふとん、  １０  掛けふとん、  １１  突起
【図１】
0006627622.tif 000002
【図２】
0006627622.tif 000003
【図３】
0006627622.tif 000004
【図４】
0006627622.tif 000005
【図５】
0006627622.tif 000006
【図６】
0006627622.tif 000007
【図７】
0006627622.tif 000008
【図８】
0006627622.tif 000009